(57)【要約】  実質的に硬質の除細動器キャリングケースは、ヒンジのある側部、ヒンジのある側部の反対側のラッチ側部に配置されたラッチ、及びヒンジのある側部とラッチ側部との間に配置されたハンドル側部に配置されたハンドルを有する。キャリングケースヒンジは、ケースが開かれるとき、より大きい構造的な完全性のために、及びケースが閉じられるとき面一に取り付けられた輪郭を有するように作られる。
2013543755.tif 000002
【特許請求の範囲】
【請求項１】
開放位置及び閉鎖位置を取る携帯型除細動器のためのヒンジ式キャリングケースであって：
４つのベース部側壁及び底面によって境界を形成されたベース部内部領域を有する硬質ベース部と；
４つの蓋部側壁及び上面によって境界を形成された蓋部内部領域を有する硬質蓋部と；
構造的な支持面を有し、前記ベース部を前記蓋部に接続する１つの前記ベース部側壁に配置される、ヒンジと；
前記閉鎖位置において、前記蓋部を前記ベース部に保持するように、前記ヒンジ部側壁の反対側の前記キャリングケースの側部に配置されるラッチ組立体と；
２つの端部を持つハンドルであって、前記ヒンジ及び前記ラッチ組立体の両方に隣接する前記キャリングケースの第２の側部に配置される、ハンドルと；
前記ベース部内部領域及び前記蓋部内部領域に配置される複数の内部区画と；を有し、
前記携帯型除細動器は前記ベース部内部領域に配置され、
前記蓋部、前記ベース部及び前記ヒンジは、前記キャリングケースが前記開放位置にあるとき前記蓋部及び前記ベース部が実質的に同一面上にあるように、配置される、
ヒンジ式キャリングケース。
【請求項２】
前記蓋部側壁の高さ及び前記ベース部側壁の高さが実質的に同一である、
請求項１に記載の
【請求項３】
前記ヒンジは複動式ヒンジである、
請求項１に記載のキャリングケース。
【請求項４】
前記複動式ヒンジ構造支持面は、前記べース部側壁及び前記蓋部側壁両方の対応する凹面に接触する凸面を有する、
請求項３に記載のキャリングケース。
【請求項５】
前記複動式ヒンジは、前記キャリングケースが開かれるとき、前記べース部側壁及び前記蓋部側壁両方の前記凹面に圧縮力を分散させる、
請求項４に記載のキャリングケース。
【請求項６】
前記複動式ヒンジの表面は、前記硬質蓋部及び前記硬質ベース部両方の表面と同一平面である、
請求項３に記載のキャリングケース。
【請求項７】
前記ヒンジ構造支持面は、硬質の高分子物質から構成される、
請求項１に記載のキャリングケース。
【請求項８】
前記ヒンジ構造支持面は、第１のヒンジピンを用いて前記ベース部側壁に接続され、前記ヒンジ構造支持面は、第２のヒンジピンを用いて前記蓋部側壁に接続される、
請求項７に記載のキャリングケース。
【発明の詳細な説明】
【技術分野】
【０００１】
本発明は、心蘇生のための除細動器、特に除細動器のためのキャリングケースに関する。
【背景技術】
【０００２】
心停止は、患者の心臓が生命を維持するために血流を提供することができない生命にかかわる病状である。除細動器は、心停止に見舞われている患者に除細動ショックを与えるために使用され得る。除細動器は、自然血行を伴わないＶＦ（心室細動）又はＶＴ（心室頻拍）等の不整脈に見舞われている患者において正常なリズム及び収縮機能を回復させるために、高電圧インパルスを心臓に与えることによって、この状況を解決する。あるタイプの除細動器、自動体外式除細動器（ＡＥＤ）は、ＡＥＤが、除細動が必要かどうか決定するために心電図（ＥＣＧ）リズムを自動的に分析することができるという点で手動除細動器と異なる。除細動器は、不整脈の徴候のＥＣＧ信号を分析する。ＶＦが検出された場合、除細動器は救助者にショックが必要であることを合図する。ＶＦ又は他のショックを与えることができるリズムの検出後、救助者は、患者を蘇生させるために除細動パルスを与えるように、除細動器のショックボタンを押す。
【０００３】
除細動は、効果を発揮するために、心停止の発症後すぐに与えられなければならない。生存の可能性は、心停止の４分後を超えた除細動の毎分ごとの遅れに対して１０％低下すると見積もられている。したがって、ＡＥＤは、患者のそばに最初に到着する可能性が最も高い、消防士、警察官、居合わせた人等、第一対応者によって使用されるように設計される。いったんＡＥＤが患者に持って来られると、救助者はそれを素早く配置して使用しなければならない。救助者はＡＥＤの設定及び操作に不慣れであるかもしれないので、このような素早い使用はしばしば困難である。
【０００４】
外部除細動器は、患者の胸に張られる電極を通して作用する。電極は、患者に粘着して着くとともに、患者の心臓からＥＣＧ信号を取得すること及び除細動ショックを与えることの両方のために使用される。ＡＥＤ電極は一般に、柔軟な非導電性支持体と導電性粘着ゲルとの間に箔又は金属化電極を配置することによって形成される。導電性接着剤は電極を患者にしっかりと取り付ける。しかし、ゲルは、時間とともに乾燥し（干からび）且つ有限の品質保持期間を有する。ゲル接着剤を持つ電極の典型的な保存品質保持期間は約２年間であり、その後電極は交換されなければならない。いくつかのＡＥＤは、安全な品質保持期間が過ぎたとき単に交換される電極を使用する。他のＡＥＤは、電極を定期的に試験するとともにインピーダンス変化によって乾燥を検出する内部自己診断回路を有する。自己診断電極に関して、電極は、診断される連続閉ループ回路を形成するように、互いに電気的に接続される。閉ループ回路は、電極パッドが使用のために配置されるとき、破壊される。
【０００５】
自己診断電極及び非自己診断電極いずれの場合も、緊急時に救助者がそれらを接続する必要がないように、使用の前に収納されている間、電極がＡＥＤに接続されることが典型的であり、それらは既に予め接続されているとともに使用の準備ができている。予め接続された電極は一般的に、ＡＥＤ用キャリングケースのような同じ又は同じ場所に配置された保護容器の中に収納されるので、電極は収納中の破壊又は損傷から保護され、ＡＥＤケースが開けられたとき、既に配置のためにすぐに利用可能である。
【０００６】
幾つかのＡＥＤはまた、救助中の心肺蘇生法（ＣＰＲ）の管理を援助する付属品も含む。例えば、Ｐｈｉｌｉｐｓ  Ｅｌｅｃｔｒｏｎｉｃｓ  Ｎｏｒｔｈ  Ａｍｅｒｉｃａによって販売される、ＱＣＰＲメータは、患者の胸に置かれるパックのようなセンサであり、その上で手動のＣＰＲ圧迫が加えられる。ＱＣＰＲメータは、除細動器への１つのケーブルを介して加えられるＣＰＲの質の示度を提供する力センサ及びモーションセンサを含む。
【０００７】
ＡＥＤはまた、ＡＥＤに適用される場合、小児の患者に適した分析及び治療をＡＥＤにさせる、小児モードアクセサリも含み得る。小児モードアクセサリは、使用のためにＡＥＤソケットに挿入されるキーのような形状にされ得る。使用しない場合、キーはキャリングケースのどこかに収納される。
【０００８】
さらに、ＡＥＤキャリングケースはまた、滅菌手袋、患者の胸から離れるように服を切るためのはさみ、過剰な胸毛を剃るための剃刀、及び人工呼吸シールドのような救助アイテムを含む、即応キットも含み得る。ＡＥＤ用の予備の電池、予備の電極のセット、文書のユーザー・ガイドもまたキャリングケースに含められ得る。
【発明の概要】
【発明が解決しようとする課題】
【０００９】
従来技術のＡＥＤキャリングケースは、幾つかの問題に悩まされている。第１に、幾つかの従来技術のキャリングケースのカバー及びハンドルは、患者への治療の適用を妨げる。収納されている又は救助者に運ばれる他の道具と絡まりやすい、典型的にはストラップからなるハンドルは、配置を遅れさせる。ハンドルはまた、ＡＥＤのカバーのラッチを覆うように配置される場合があり、これは、手袋を着けている救助者がカバーを開ける能力を妨げる。開いているとき、キャリングケースの蓋は、救助者によって容易に踏まれて壊され得るように、救助者によって蹴られてたたまれるように、又はそうでなければそばにいる患者へのアクセスを妨げるように、され得る。これらの全ての性質は治療を遅れさせる働きをする。
【００１０】
次に、幾つかのキャリングケースは、重要な内容物が配置時に見えないように配置される。例えば、即応キットは、ＡＥＤとは別のポケットに収納される場合がある。このようなキャリングケースを使用する救助者は、救助中にキットを発見する及び／又は配置するのが遅れ得る。
【００１１】
従来技術のキャリングケースのラッチは、ケースが落下したときに不慮の開放を防ぐのに十分頑丈でないかもしれず、したがって、内容物に損傷を与える又はそうでなければ救助を遅れさせる。幾つかのラッチは、単にベルクロ閉鎖である。
【００１２】
従来技術のキャリングケースは、掃除及び内容物の確認の容易さに関してたちが悪く、次の救助中、交差汚染又は故障のリスクが存在する。例えば、幾つかの従来技術のキャリングケースは、掃除のために取り外し可能な内部トレイを有していない。ＣＰＲ指導装置又は除細動器プッシュボタン等の内部構成部品を救助の前に検査する如何なる手段も有さない。キャリングケースに含まれているＡＥＤがその使用面に使用準備完了インジケータを有する場合、ケースの窓はインジケータの簡単な確認を可能にするには小さすぎる場合がある。
【課題を解決するための手段】
【００１３】
本発明の原理によれば、除細動器用キャリングケースが記載され、このキャリングケースは、心臓の救助中により迅速な配置及び使用を可能にする。改良は、ケースのヒンジ及びケースのラッチの両方に９０度の角度で配置される比較的硬く且つ湾曲したハンドルを含む。ハンドルの形状及び剛性は、収納中又は移動中の他の装備とのからみ合いを防ぐように作用する。ハンドルの向きは、救助中のハンドルの使用を可能にする一方、ラッチの作動及び蓋の開放に干渉することを同時に回避する。
【００１４】
本発明の他の態様によれば、２重関節式ヒンジによって接続された、比較的硬質の保護ベース及び蓋のシェルを有するキャリングケースが記載されている。ヒンジは、開放位置にあるとき、キャリングケースベース及び蓋が基本的に同一面であるように配置される。ケースは、開放位置にある間、不注意に閉じることができず、ヒンジの性質によって、開放位置にある間に踏まれた場合に損傷に耐える。蓋が不注意に閉じられた場合にケースから突出する如何なるＡＥＤ電極又はＣＰＲメータワイヤへの損傷を防ぐ蓋とベース部との間の新規なケースのシールが、記載される。したがって、本発明は、増加した頑丈さ及び救助中の使いやすさを提供する。
【００１５】
本発明のさらに別の態様によれば、内容物の改善された配置を伴うキャリングケースが記載される。心臓の救助に必要な全ての道具は、いったんキャリングケースが開かれるとすぐに見える。電極及びＣＰＲメータワイヤの束のコンパクトな収納のための対策が提供される。予備及び他の必須でない道具が隠されるので、救助中の混乱を最小にする。キャリングケースの自動電源投入機能が、ケースの蓋が開かれたときに任意選択で除細動器を起動し得る。蓋とベース部との間の改善されたシールが記載され、これは使用中に蓋が不注意に閉じられた場合にワイヤが挟まれることを防ぐ。
【００１６】
本発明のさらに他の態様によれば、心臓の救助の内容物をチェック及び掃除する改善された能力を有するキャリングケースが記載される。ケースは、内部ＣＰＲメータ保持ブラケット、ＣＰＲメータ試験装置、内部ＡＥＤの準備完了インジケータのより広角の視野のためのライトパイプ、除細動器ボタンテスタ並びに／又は掃除及び交換のための取り外し可能なトレイを有し得る。
【００１７】
本発明のさらに他の態様によれば、改良された閉鎖ラッチを持つキャリングケースが記載される。ラッチは、第２のフック及びロック組立体による確動係合に保持される突出部及びラッチ組立体からなる強固且つヒンジ結合された機構である。ラッチは、片手で且つ１つの動きで開放され得るとともに、単に機構を押して閉じることによって閉鎖され且つロックされ得る。閉鎖され且つロックされたとき、ラッチの取っ手は、ケース収納場所からの配備の容易さのためにキャリングケースと同一平面である。
【図面の簡単な説明】
【００１８】
【図１ａ】図１ａは、閉鎖された位置にある、本発明の原理にしたがって構成された除細動器キャリングケースを示す。
【図１ｂ】図１ｂは、開いた位置にある、本発明の原理にしたがって構成された除細動器キャリングケースを示す。
【図２ａ】図２ａは、緊急時の使用中に視界から隠されている、非緊急用予備電池のための好適なキャリングケース収納構造を示す。
【図２ｂ】図２ｂは、緊急時の使用中に視界から隠されている、非緊急用予備電極のための好適なキャリングケース収納構造を示す。
【図２ｃ】図２ｃは、キャリングケース内部配置の好適な実施形態を示す。
【図３ａ】図３ａは、例示的なキャリングケースラッチ組立体の詳細図である。
【図３ｂ】図３ｂは、ラッチ組立体の開放動作を示す。
【図３ｃ】図３ｃは、ラッチ組立体の開放動作を示す。
【図４ａ】図４ａは、本発明の原理に従って構成された例示的なキャリングケースヒンジの斜視図である。
【図４ｂ】図４ｂは、キャリングケース半部と連携するヒンジの動作を示す。
【図４ｃ】図４ｃは、キャリングケース半部と連携するヒンジの動作を示す。
【図５】図５は、本発明の原理に従って構成されたキャリングケースハンドルの詳細図である。
【図６ａ】図６ａは、上部及び底部キャリングケース半部に配置された例示的なキャリングケースシールの詳細図である。
【図６ｂ】図６ｂは、ケースシールの抗はさみ機能を示す。
【図７】図７は、内部収納除細動器からケースの外部への準備完了表示ライト信号のための例示的なキャリングケースライトパイプの詳細図である。
【図８】図８は、心臓救出の間の使用中のキャリングケースを示す。
【図９ａ】図９ａは、キャリングケース内部のＣＰＲメータを保持するためのＣＰＲメータ収納ブラケットを示す。
【図９ｂ】図９ｂは、ＣＰＲメータの検査を可能にする機能を有する、ＣＰＲメータ収納ブラケットの代替実施形態を示す
【図１０】図１０は、除細動器プッシュボタンテスタをさらに有するキャリングケースの１つの実施形態を示す。
【発明を実施するための形態】
【００１９】
最初に図１ａを参照すると、本発明の原理による除細動器キャリングケース１００が、閉鎖された位置で示される。キャリングケース１００は、図示されない、予め接続された電極を備えるＡＥＤ、ＣＰＲメータ、即応キット、及び関連する予備等、心停止救助に必要な構成要素を含むとともに保護するように寸法決めされる。キャリングケース１００保護表面は、主として２つの半部、ベース部２００及び蓋部３００からなる。ベース部２００及び蓋部３００は、プラスチック、金属又は複合材料等、軽量且つ実質的に硬い構造材料で作られる。材料は、内部の内容物を保護するように、穴開き、摩耗、水の浸入及び衝撃に耐える。好適な実施形態では、ベース部２００及び蓋部３００は、成形された構造発泡ポリプロピレン又は同様の材料で作られる。ベース部２００は、４つのベース部壁２１２及びベース部底２１４を有し、ベース部内部領域２１０を共に形成する。同様に、蓋部３００は、４つの蓋部壁３１２及び蓋部上部３１４を有し、蓋部内部領域３１０を共に形成する。
【００２０】
図１ａに示されるように、ヒンジ４００は、１つのベース部２００のベース部壁２１２及び蓋部３００の１つの蓋部壁３１２を超えてキャリングケース半部を一緒に接続する。ラッチ組立体５００は、キャリングケース半部を閉鎖位置にしっかりと保持するために、ヒンジ４００の反対側の異なるベース部壁２１２及び蓋部壁３１２を交差してベース部２００及び蓋部３００を交差して配置される。硬質又は半硬質且つ弓状のハンドル６００は、キャリングケース１００のヒンジ側及びラッチ側の両方に隣接するキャリングケースの側部に渡る両端部に取付けられる。ヒンジ４００、ラッチ組立体５００、及びハンドル６００のそれぞれは、キャリングケースに接触する全ての表面が、ケースが閉じられたときにキャリングケースの表面と同一平面になるように配置される。
【００２１】
図１ｂは、開いた位置にあるキャリングケース１００を示す。ベース部壁２１２及びベース部底２１４は一緒にベース部内部領域２１０を形成する。同様に、蓋部壁３１２及び蓋部上部３１４は一緒に蓋部内部領域３１０を形成する。取り外し可能なベース部トレイ８００が、ベース部内部領域２１０の内側に入れ子式にされ得るとともに、取り外し可能な蓋部トレイ８２０が、蓋部内部領域３１０の内側に入れ子式にされ得る。
【００２２】
蓋部３００又は蓋部トレイ８２０はまた、蓋部に張り付けられるケース開放インジケータ７２０、好ましくは磁石、を有する。このように配置されるので、インジケータ７２０は、キャリングケース１００が閉じられたときのみ携帯型除細動器１１０内部の対応するケース開放センサと重なる。携帯型除細動器１１０は、インジケータ７２０が無いことによって開放された蓋を検知し、したがってそれ自体を作動させる。救助中の、意図しない蓋の閉鎖に関わる不必要な遅れ及び混乱、並びに意図しない除細動器の停止を避けるために、蓋３００を閉じると即座に自動的に携帯型除細動器をオフにする機能は避けるべきであることが留意される。
【００２３】
ラッチ組立体５００、ベース部２００及び蓋部３００の間の相互作用の追加的な詳細が図１ｂに示され、ベース部２００は、ラッチ組立体５００の傾斜突出部５１１及びラッチフック５１５それぞれに対応するケース傾斜突出部２１１及びベース部ロック２１３を備える。図１ｂはまた、ベース部壁２１２及び蓋部壁３１２それぞれの露出端部に沿って形成された、対向するベース部シール端部２１６及び蓋部シール端部３１６を有する、抗はさみケースシール機構を示す。
【００２４】
ハンドルの比較的硬い性質及びキャリングケース１００への取り付けの面一に取り付けた設計は、滑らかなキャリングケース１００の輪郭形状を提供する。キャリングケース１００は典型的には、他の装備とともに救助車両の区画に収納されるので、滑らかな全体の輪郭及び取付け具の突出部の欠如は、救助者が掴むとともに他の装備にもつれることなしに区画からキャリングケース１００を引き出すことを可能にする。同様に、ラッチ機構及びヒンジは、閉じられるときにキャリングケース１００と面一になるように配置されるとともに、キャリングケース１００が区画から引き出されるときに他の材料に引っ掛からない。これらの特徴は、貴重な数秒を節約するとともに除細動までの時間を縮める。
【００２５】
キャリングケース１００の別の側部への硬質のハンドル６００、ラッチ組立体５００及びヒンジ４００の特定の配置は、従来技術によって取り組まれていない幾つかの問題を解決する。ハンドルをラッチから離れて配置することによって、特に重度に手袋をした対応者の、ラッチへのアクセス及びラッチの操作性が、向上する。ハンドルをラッチから離れて配置することによって、ハンドルは、開放位置にあるときでさえ、キャリングケース１００を位置変更するのに使用できる。
【００２６】
本発明はまた、心停止患者の隣に配置される場合のキャリングケース１００の実用性も向上させる。図８は、ＣＰＲ及び患者のモニタリングを行うために心停止患者１４のそばの位置を典型的には取る救助者１０を示す。キャリングケース１００内に収納される携帯型除細動器１１０は、電気療法を提供するために患者に配置される。携帯型除細動器１１０は、そのディスプレイが救助者に容易に見られ得るように向けられなければならないので、典型的には、携帯型除細動器１１０のディスプレイの底部が救助者に向くように、患者の頭のそばに置かれる。この位置では、キャリングケース１００は、開放位置において、携帯型除細動器１１０のディスプレイの上部のヒンジの向きが、蓋部３００を常に救助者から離れて広がることをもたらすとともに患者の顔に位置するように開かれることもできないという利点をもたらす。この利点が、救助者が携帯型除細動器１１０を患者の反対側に配置したときでさえあてはまることが図８で見ることができる。
【００２７】
開放位置では、キャリングケース１００は、従来技術のキャリングケースより安定し且つ頑丈である。図１ｂに示されるように、ベース部２００及び蓋部３００は、開放位置において実質的に同一平面上にある。以下により詳細に記載されるヒンジ４００の設計は、蓋３００が１８０度以上回転することを可能にするとともに、ベース部２００からの僅かな且つ有益な横方向の動きを可能にする。したがって、開放するとき、蓋部３００の上面は、ベース部２００の底と同じ面に接触する。これは、救助内容物のためのより安定したプラットフォームを提供する。この位置における蓋部３００は、不注意に蹴られて閉じることができない。さらに、横方向の動きの特徴は、踏まれたとしても、ヒンジ４００は、壊れる代わりにベース部２００の蓋３００への向きを単に自動調整するので、損傷に対する強化された耐性を提供する。
【００２８】
ベース部壁２１２及び蓋部壁３１２の高さは、前述の利点を実現するために等しくなる必要はない。しかし、ヒンジ４００の設計は、ベース部壁２１２、蓋部壁３１２が等しい場合、キャリングケース１００が開放するときに蓋部３００の上部及びベース部２００の底部が完全に接地面に接触するので、多少単純化され得る。
【００２９】
幾つかの他の利点は、キャリングケース１００の外側の特徴によって提供される。キャリングケース１００の設計は、メンテナンスのし易さを促進する。ライトパイプ７００は、内部に取付けられたＡＥＤからキャリングケース１００外部への準備状態ライト信号を伝える。ライトパイプ７００は、伝達された準備状態ライト１１１信号を拡散させるための手段を含み、したがって、インジケータがずっと広い視野角に渡って見えるようにする。図７は、ライトパイプの１つの実施形態を示し、拡散させるための手段は、ライトパイプ７００の外面７１０にエッチングをすること又はサンドブラストをすること含む。好ましくは、透明なアクリル又は同様の材料で造られる、ライトパイプ７００の他の表面は、磨かれる。エッチングは伝達された光信号を広い角度に渡って拡散させるように働くので、内部ＡＥＤの目視検査はキャリングケース１００を開くことなしに完了することができる。
【００３０】
取り外し可能なベース部トレイ８００及び蓋部トレイ８２０はまた、キャリングケース１００のメンテナンスの容易さを促進する。心臓救出は典型的には体液及び他の汚染物質が関与し、この体液及び他の汚染物質は毎回の使用後に備品から除去されなければならない。ベース部トレイ８００及び蓋部トレイ８２０は、キャリングケース１００の内部表面を掃除するために容易に取り外され得る。ベース部トレイ８００及び蓋部トレイ８２０の置換性はまた、損傷したトレイの交換、異なる内部の備品の配置が必要な場合、又は次の心臓の救助の前に掃除する時間がない場合の再配置等、他の利点を提供する。
【００３１】
図２ａ、２ｂ、及び２ｃは、キャリングケース１００の内部の内容物の配置の好適な実施形態を示す。キャリングケース１００は一般的に、蓋３００が開放されたとき、最も直ちに必要な救助装備がユーザに見えるとともにすぐに使えるように構成される。直ちに必要でない装備は、乱雑及び混乱を減らすために視界から隠される。図２ａは、心臓救助において通常最初に必要でない、予備電池１１２がＣＰＲメータ収納ブラケット９２２の後ろに収容されるとともに、収容されたＣＰＲメータ１４０によってその後視界から隠される、キャリングケース１００の実施形態を示す。図２ａはまた、予め接続された電極１２０のセットを収納するために、キャリングケース１００のハンドル端部に設置された電極収納スロット９１２も示す。電極収納スロット９１２は、すぐに見えてアクセスできる方法で電極１２０を固定する。完全に本願に援用される、同時継続中且つ同一出願人による、“ＰＩＮＣＨ  ＣＡＳＥ  ＦＯＲ  ＤＥＦＩＢＲＩＬＬＡＴＯＲ  ＥＬＥＣＴＲＯＤＥ  ＰＡＤＳ  ＡＮＤ  ＲＥＬＥＡＳＥ  ＬＩＮＥＲ”という名称の米国特許出願第１２／８２７，１４２号は、キャリングケース１００に用いられ得る電極収納スロット９１２及び電極１２０の好適な実施形態を記載する。
【００３２】
電極収納スロット９１２及びＣＰＲメータ収納ブラケット９２２の両方は、図２ａにベース部内部領域２１０内のベース部トレイ８００に設置されて示される。しかし、どちらの取付け具もベーストレイ８００を全く必要とすることなしに、ベース部内部領域２１０に直接設置されることが理解される。
【００３３】
図２ｂは、ベース部内部領域２１０内の携帯型除細動器１１０、ＣＰＲメータ１４０及び電極１２０の相対的な配置を示す。携帯型除細動器１１０は右側に配置され、ＣＰＲメータ１４０は、中央のＣＰＲメータ収納ブラケット９２２に配置され、電極１２０は電極収納スロット９１２に配置される。それぞれは、携帯型除細動器１１０が開放されるとき、すぐに見えてアクセスできる。さらに、電極１２０及びＣＰＲメータ１４０は、携帯型除細動器１１０に予め接続され、接続ワイヤは邪魔にならない所にしまい込まれる。したがって、オペレータは、ケースを開けてすぐに装備を配置し始めることができる。
【００３４】
図２ｂはまた、蓋部トレイ８２０に形成されたパネルの後ろに見えない所にしまい込まれた予備電極１２２のセットも示す。蓋部トレイ８２０は、独立した取り外し可能な構成部品の代わりに、蓋部内部領域３１０に一体にされ得るとともに蓋部内部領域３１０の一部を形成し得ることが理解される。
【００３５】
今図２ｃを見ると、追加的な心臓救助構成要素即応キット１６０及び小児キー１８０が、蓋部内部領域３１０に迅速な配置のために収納されて示される。即応キット１６０は、救助において他の所で開くために、キャリングケース１００からキットとして完全に取り外し可能になり得る。小児モードキー１８０は、図示されるように、蓋部トレイ８２０に同様に形成されたくぼみに圧入され得る、及び／又は蓋部トレイ８２０パネルの後ろにしまい込まれた格納式の綱を介してキャリングケース１００に接続され得る。携帯型除細動器１１０が小児患者に使用されることになる場合、オペレータは単に小児キー１８０を小児モード変更スロット１１３に挿入する。携帯型除細動器１１０は挿入を検知するとともに小児モードの動作に変化する。
【００３６】
図２ｃはまた、準備状態ライト１１１の上のライトパイプ７００の配置を示す。蓋部３００が閉じられるとき、ライトパイプ７００は準備状態ライト１１１に重なる。その時、準備状態ライト１１１の如何なるインジケータライト信号も、ライトパイプ７００を通って携帯型除細動器１１０の外部に、ケースを開かなくても容易に見えるように、伝達される。
【００３７】
図３ａを参照すると、キャリングケース１００のためのラッチ組立体５００の実施形態が示される。ラッチ組立体５００は、ベース部壁２１２に配置された対応する傾斜留め金２１１に係合するために傾斜突出部５１１を有する比較的平坦なラッチ引手５１０を有する。ラッチ組立体５００はまた、ラッチバネ５１６に抗してラッチ引手５１０に対してスライドして並進運動するラッチプレート５１４を有する。ラッチ引手５１０の下を延びるラッチプレート５１４の一部は、ラッチバネ５１６に抗してラッチプレート５１４を押し付ける手動操作面として働く。ラッチ引手５１０は好ましくは、衝撃及び操作上の酷使に耐えることができる、金属又はプラスチック等、硬く強い材料で造られる。
【００３８】
図３ｂは、キャリングケース１００が閉じられた状態のラッチ組立体５００の形状及び動作を示す。閉鎖位置において、傾斜突出部５１１及び傾斜留め金２１１は、ベース部２００及び蓋部３００に対するラッチ組立体５００の保持張力を主に通じて圧縮接触に保持される。図３ａに示されるように、ラッチフック５１５は、傾斜留め金２１１に対して傾斜突出部５１１をしっかり保持するように、ベース部壁２１２に形成されたベース部ロック２１３にさらに係合する。傾斜突出部５１１及びラッチフック５１５の組み合わせはしたがって、ケースが落とされたとしても、ラッチがぽんと開くことを防ぐ。図３ｂはまた、ベース部壁２１２の好適な形状を示し、その外面は、傾斜突出部５１１のすぐ下の窪んだ操作領域を除いて、ラッチ引手５１０の外面と実質的に面一である。
【００３９】
図３ｃは、キャリングケース１００を開くためのラッチ組立体５００の動作を示す。オペレータは、ラッチバネ５１６に抗してラッチプレート５１４を上方に押すことによってラッチ組立体５００を開放し、このラッチプレートは次にベース部ロック２１３からラッチフック５１５を開放する。傾斜突出部５１１及び傾斜留め金２１１は、ベース部壁２１２の表面に対して適切に傾斜されるので、ラッチフック５１５の開放と同時に、オペレータは、ラッチ組立体５００をラッチピン５１８周りにかつベース部壁２１２から離れて開放のために滑らかに回転させることができる。したがって、開放操作は片手で且つ１つの動作で成し遂げることができる。ラッチプレートのその次の開放と同時に、ラッチバネ５１６は、ラッチプレート５１４を閉鎖の準備ができている初期位置に戻す。
【００４０】
図３のさらなる閲覧はまた、どのようにラッチ組立体５００が閉鎖されロックされるかを示す。ラッチでキャリングケース１００を閉じるために、オペレータは単に、ラッチフック５１５の傾斜内部表面及び傾斜留め金２１１の上向き傾斜面が接触するまでラッチピン５１８周りにラッチ引手５１０を押す。オペレータは、ラッチ引手５１０をしっかりと押すので、ラッチフック５１５がベース部ロック２１３に係合するまで、ラッチバネ５１６によって対抗されて、ラッチフック５１５を上方に接触面に沿ってスライドさせる。代替的には、オペレータは、ラッチフック５１５をベース部ロック２１３に係合させるために、ラッチ引手５１０を引くと同時に、ラッチプレート５１４を上方に押し得るとともに続いて開放する。
【００４１】
図４ａを参照すると、キャリングケース１００は好ましくは、蓋部３００をベース部２００にヒンジ式に接続するために、フローティングヒンジと類似するヒンジ４００を有する。ヒンジ４００は、蓋部３００とベース部２００との間に置かれた関節体４１４を有する。関節体４１４は、次に底部ヒンジピン４１０によって各端部でベース部２００に、そして上部ヒンジピン４１０によって各端部で蓋部３００にも接続される。関節体４１４は、キャリングケース１００が閉じられたときに構造に強度を加えることができる、そしてまたキャリングケース１００が開いているときキャリングケース１００に構造的な強度を加えることもできる、硬質材料で作られる。関節体４１４は好ましくは、ベース部２００及び蓋部３００と同じ材料で造られる。底部ヒンジピン４１０及び上部ヒンジピン４１０はステンレススチール又は同様の材料である。
【００４２】
図４ｂ及び４ｃは、閉鎖及び開放状態それぞれのヒンジ４００の動作を示す。図４ｂに示されるように、ヒンジ４００は、キャリングケース１００が閉鎖されたとき、関節体４１４表面がベース部壁２１２及び３１２と表面と面一でありように、配置される。図４ｃはキャリングケース１００が開いているのを示す。開放位置において、３１３及び関節体４１４の両方は、閉鎖位置から、反対側の関節体４１４表面がベース部２００及び蓋部３００の開放面と面一であるように、回転される。
【００４３】
面一の構造によって提供される利点に加えて、ヒンジ４００は、ベース部壁２１２及び蓋部壁３１２の間に形成されたヒンジ領域への構造的な強度及び保護を提供する。加えて、関節体４１４の関節接合された性質は、ヒンジ領域が、他のヒンジ設計では破壊し得る、乗り上げられる又は踏まれる場合に生じるような、押しつぶす力を吸収することができるように、ベース部壁２１２と蓋部壁３１２との間の並進移動の量の制限を可能にする。図４ｂ及び４ｃの精査から見られ得るように、ヒンジ４００は、押しつぶす力が、底部ヒンジピン４１０及び上部ヒンジピン４１０の集中した領域での代わりに関節体４１４に接触するベース部壁２１２及び３１３の湾曲表面に渡って分散されることを可能にする。開放位置において、ヒンジ４００はまた、ベース部壁２１２及び３１３の反対側の表面が上方から押しつぶす力に対抗することを可能にする。
【００４４】
図５はキャリングケースハンドル６００の好適な実施形態を示す。ハンドルは、熱可塑性エラストマのような、柔軟であるが元の形状に戻ることができる、実質的に硬質の又は半硬質材料で造られる。ハンドル６００は好ましくは、他の装備に引っ掛かることなしに迅速な配置を可能にするように湾曲される又は弓型にされる。ストラップは図示されていない、オプションのショルダストラップを取り付けるためのショルダーストラップピン６１２がハンドル６００に成型され得る。
【００４５】
ハンドル６００は、前述のように且つ図１に見られるようにキャリングケース１００に取付けられる。図５は、ハンドル６００の各端部がハンドルアンカ６１０を有することを示し、このハンドルアンカは、ネジ又はリベット等、図示されない、既知の固定具でキャリングケース１００の反対側に埋め込まれて形成される。埋め込みは、留め具をハンドルアンカプレート６１３で覆うことによって仕上げられ得る。いったんこのように配置されると、蓋の上部３１４に向かって見られるとき、ハンドル６００を持つキャリングケース１００の全体の輪郭は、キャリングケース１００が収納場所から引き出されるとき、隣接材料に引っ掛かることに抵抗する、連続的な滑らかな線を提供する。
【００４６】
今図６ａ及び６ｂを参照すると、ベース部２００と蓋部３００との間の閉鎖シール７５０が記載される。従来技術のキャリングケースでは、蓋部が意図せずにケースベース部に対して強制的に閉じられるとき、突出する電極ワイヤは、損傷を受け得たまたは切断され得た。使用中にキャリングケース１００が意図せずに閉じられる万一の場合にワイヤの損傷を最小化するために、閉鎖シール７５０がベース部壁２１２及び蓋部壁３１２の対向する露出端部に形成される。閉鎖シール７５０の好適な実施形態が断面図で図６ｂに示される。ベース部壁２１２端部に面する各蓋部壁３１２端部は、外部表面から突出するとともに外部表面からオフセットされた（ずらされた）蓋部シール端部３１６を有する。図示されない蓋部閉鎖ストップは、蓋部３００が閉じられるとき、ベース部２００と蓋部３００との間に蛇行する隙間をもたらし、そこを通って突出する電極リードワイヤ１２１は損傷なしに通過し得る。外側の要素からの追加的な保護が望まれる場合、ベース部シール端部２１６及び蓋部シール端部３１６のそれぞれは、蓋部が閉じられるときに隙間を埋めるが、電極ワイヤ１２１が損傷なしに通過することを可能にする、柔軟なエラストマ材料で裏打ちされ得る。
【００４７】
本発明の他の実施形態は、内部の内容物の検査を可能にする特徴を組み込むキャリングケースである。１つのこのような特徴は、ＣＰＲメータが使用中に正確な指示を提供するであろうことを救助者が確信するように、保管中及び配置前のＣＰＲメータ１４０の検査を可能にする。もう一つの特徴は、携帯型除細動器１１０ボタンの物理的な検査を可能にし、これは、従来技術のキャリングケースでは全く検討されていない。このような検査は、除細動器ショックボタンの適切な機械的な作動を定期的に確かめることができる。
【００４８】
図９ａは、図２ａ−ｃに示されたＣＰＲメータ収納ブラケット９２２のより詳細な図である。ブラケット９２２は、ＣＰＲメータブラケットベース部マウント９２１を使ってキャリングケース１００に取外し可能に取り付けられ得る。ＣＰＲメータ１４０は次にＣＰＲメータ保持クリップ９２３に取り付けられ、このＣＰＲメータ保持クリップは、ＣＰＲメータ１４０の表面が隣接して収納される除細動器１１０の表面と面一になるように、ブラケットベース部から上方にオフセットされる。したがって、メータ１４０及び除細動器１１０の両方はユーザに直ちに見える。加えて、収納されたＣＰＲメータ１４０の下のスペースが、予備バッテリ１１２等、他の救助アイテムを収納するために利用可能である。
【００４９】
今図９ｂを参照すると、ＣＰＲメータ収納ブラケット９２２の代替実施形態は、ＣＰＲメータ検査装置９２４を有する。ＣＰＲメータ収納ブラケット９２２のように、ＣＰＲメータ検査装置９２４は、収納中にＣＰＲメータ１４０をしっかりと保持するように配置される。しかし、ＣＰＲメータ検査装置９２４は、弾性バンド９２７、コイルバネ、板バネ、又は下部の圧縮性材料等、既知のバネ定数を有する内部のバネ手段で接続される、検査装置ベース部９２５及び垂直可動クリップ９２６を有する点で、前述のＣＰＲメータ収納ブラケット９２２と異なる。装置ベース部９２５は、ケース底部２００に固定される。ＣＰＲメータ１４０は、図２に示されたものと同様の可動クリップ９２６に取外し可能に取り付けられる。
【００５０】
取り付けられたＣＰＲメータ１４０を持つＣＰＲメータ検査装置９２４は、蓋部３００が閉じられるとき、蓋部３００がＣＰＲメータ１４０及び可動クリップ９２６を図９に“ｄ”として示される、既知の且つ一定の距離だけ押し付けるように、配置される。内部のバネ手段はしたがって、蓋部３００に対して押し付けられるとき、ＣＰＲメータ１４０力センサに既知の反力を発生させる。反力の例示的なレベルは、３／４インチ−３インチの間の範囲で、２インチの例示的な一定のバネの圧縮を持ち、２ｋｇ−５ｋｇの範囲で、約４ｋｇである。
【００５１】
携帯型除細動器１１０は、自身の内部の定期的な自己診断プロトコルのために覚醒されるとき、取り付けられたＣＰＲメータ１４０も起動するとともに検知された力に対応する信号を受信するように構成され得る。検知された力を既知の力と比べることによって、除細動器１１０は、ＣＰＲメータ力センサが適切に動作しているかどうか及び較正の範囲内であるかどうかを決定し得る。そうでない場合、除細動器１１０は自己診断故障警報を発生させることができる。
【００５２】
開放位置にあるキャリングケース蓋部３００及び自己診断のために起動された除細動器１１０を用いて、ＣＰＲメータ距離検出が、ＣＰＲメータ検査装置９２４によっても検査され得る。この実施形態では、ＣＰＲメータ検査装置９２４の非圧縮位置と完全に圧縮された位置との間の高さの差も知られている。ユーザは、ＣＰＲメータ１４０及び可動クリップ９２６を完全に圧縮された位置に圧縮することによって、ＣＰＲメータモーションセンサを検査する。除細動器１１０は、ＣＰＲメータ圧縮信号を検知し、それを既知の距離と比較する。検知された距離及び既知の距離が、条件を満たしている許容範囲の変動幅を超えて異なる場合、除細動器１１０は、自己診断故障警報を発生させる。もちろん、除細動器１１０は、この検査の実行中、ユーザを聴覚的に及び視覚的に案内するように構成され得る。
【００５３】
オプションの除細動器プッシュボタンテスタ９３０がまた、キャリングケース蓋部３００に組み込まれ得る。図１０は、ボタンテスタ９３０の１つの実施形態を示し、このボタンテスタは、蓋部３００の内側に取り付けられたアクチュエータケース９３４の底部から延びる指状のアクチュエータ９３２、９３３を有する。ショックボタンアクチュエータ９３２は、蓋部が閉じられたときにその端部が除細動器ショックボタン１１４の上に位置されるように、配置される。同様に、オン／オフボタンアクチュエータ９３３は、蓋部が閉じられたときにその端部が除細動器オン／オフボタン１１５の上に位置されるように、配置される。プッシュボタンテスタ９３０はまた、携帯型除細動器１１０が定期的な自己診断のために覚醒するとき下部の除細動器から発せられる、定期起動信号を検知するためのボタンテスタセンサ９３４を有する。ボタンテスタセンサ９３４は好ましくは、除細動器が自己診断のために起動するとき、除細動器から発する対応する光又はワイヤレス信号を検知する、光センサ又はワイヤレスセンサである。プッシュボタンテスタ９３０はまた、長期に渡って、好ましくは月単位で、定期的に動作するのに十分なエネルギを持つ交換可能な電池等、ボタンテスタ電源９３５を有する。
【００５４】
プッシュボタンテスタ９３０は、準備状態ライト１１１の点滅によって等、除細動器１１０から定期的な起動信号を受信し、続いて下部の除細動器プッシュボタンをそれぞれ押すためにアクチュエータ９３２、９３３を伸ばすように配置される。除細動器１１０は、プッシュボタン電気回路の導通状態の変化を検知することによって、プッシュボタンの結果として報じる動作を検知し、結果を自己診断アルゴリズムに渡す。除細動器は、期待されたプッシュボタン動作を検知しない場合、自己診断故障警報を発する。いったんボタン自己診断が完了すると、除細動器１１０及びプッシュボタンテスタ９３０は、電池を節約するために、スタンバイモードの動作に戻る。
【００５５】
プッシュボタンテスタ９３０の他の実施形態は、除細動器１１０の自己診断起動との連携を必要としない。この実施形態では、プッシュボタンテスタ９３０は、アクチュエータ９３２、９３３を独立したスケジュールで駆動し、除細動器自己診断に重なるのに十分長い期間の間、アクチュエータ９３２、９３３を下方に保持する、すなわちボタンが押される。アクチュエータ９３２、９３３は、その後、次の除細動器自己診断に重なるのに十分長い第２の期間の間、解除する。この実施形態では、下部の除細動器は、ボタンが適切に動作しているかどうかを決定するために、ある自己診断から次へのボタン位置の変化のみを検知しなければならない。
【００５６】
前述の発明の範囲内で他の変形形態を当業者は容易に思い付くであろう。例えば、ラッチの向きは、ラッチ組立体５００が蓋部３００の代わりにベース部２００にピンで留められるように、反転され得る。内側の内容物の他の配置は、収容された構成要素の相対的なサイズ及び形状に有利に依存し得る。
【図１ａ】
2013543755.tif 000003
【図１ｂ】
2013543755.tif 000004
【図２ａ】
2013543755.tif 000005
【図２ｂ】
2013543755.tif 000006
【図２ｃ】
2013543755.tif 000007
【図３ａ】
2013543755.tif 000008
【図３ｂ】
2013543755.tif 000009
【図３ｃ】
2013543755.tif 000010
【図４ａ】
2013543755.tif 000011
【図４ｂ】
2013543755.tif 000012
【図４ｃ】
2013543755.tif 000013
【図５】
2013543755.tif 000014
【図６ａ】
2013543755.tif 000015
【図６ｂ】
2013543755.tif 000016
【図７】
2013543755.tif 000017
【図８ａ】
2013543755.tif 000018
【図８ｂ】
2013543755.tif 000019
【図９ａ】
2013543755.tif 000020
【図９ｂ】
2013543755.tif 000021
【図１０】
2013543755.tif 000022
【国際調査報告】
2013543755.tif 000023
2013543755.tif 000024
2013543755.tif 000025